(57)【要約】【課題】    本発明は上記の従来の問題点に鑑みて発明したものであって、その目的とするところは、仕切板を容器本体に寝かせて収納した際に位置決めされると共に、その上に別の容器本体を嵩低く積み重ねることができる分別収納容器の仕切板及び分別収納容器の梱包構造を提供する。【解決手段】  上方が末広がり状に開口する容器本体１の対向する一対の側壁部１１の内面の下端部に内方に突出する凸部Ｔを有する分別収納容器の仕切板３である。上下又は左右の一対の対向する辺間の長さを容器本体１の凸部Ｔを有する対向する側壁部１１の下端部内面間の間隔よりも若干短く形成し、前記一対の対向する辺の端縁に容器本体１の凸部Ｔと当接又は近接する位置決め凸部３２を突設した。【選択図】      図１
2005088968.tif 000002
【特許請求の範囲】
【請求項１】
上方が末広がり状に開口する容器本体の対向する一対の側壁部の下端部内面に内方に突出する凸部を有する分別収納容器の仕切板であって、仕切板本体の上下又は左右の一対の対向する辺間の長さを容器本体の凸部を有する対向する側壁部の下端部内面間の間隔よりも若干短く形成し、仕切板を容器本体の底面上に倒置した状態で前記一対の対向する辺の端縁に容器本体の凸部と当接又は近接する位置決め凸部を突設して成ることを特徴とする分別収納容器の仕切板。
【請求項２】
容器本体内の凸部として仕切板本体の下端部が挿入される縦リブを兼用して成ることを特徴とする請求項１記載の分別収納容器の仕切板。
【請求項３】
容器本体の下面に下方に突出する脚部を設けた分別収納容器の仕切板であって、容器本体の凸部と位置決め凸部とを当接又は近接して仕切板を容器本体の底面に倒置した状態で、別の容器本体を上から入れ子状に積み重ねた時のその脚部が挿入される逃がし部を形成して成ることを特徴とする請求項１又は２記載の分別収納容器の仕切板。
【請求項４】
上方が末広がり状に開口する容器本体の対向する一対の側壁部の下端部内面に内方に突出する凸部を有する容器本体に仕切板を着脱自在に取り付ける分別収納容器の梱包構造であって、仕切板の上下又は左右の一対の対向する辺間の長さを容器本体の凸部を有する対向する側壁部の下端部内面間の間隔よりも若干短く形成すると共に前記一対の対向する辺の端縁に位置決め凸部を突設し、仕切板の位置決め凸部を容器本体の凸部に当接又は近接するように仕切板を容器本体の底面上に倒置した状態で別の容器本体を上から入れ子状に積み重ねることを特徴とする分別収納容器の梱包構造。
【請求項５】
請求項４において、仕切板に容器本体の脚部が挿入される逃がし部を形成し、仕切板をその位置決め凸部が容器本体の凸部と当接又は近接するように容器本体の底面に倒置した状態で別の容器本体を上から入れ子状に積み重ねた時にその脚部が仕切板の逃がし部に挿入されることを特徴とする分別収納容器の梱包構造。
【発明の詳細な説明】
【技術分野】
【０００１】
本発明は、仕切板によって内部空間を仕切る分別収納容器の仕切板及び分別収納容器の梱包構造に関するものである。
【背景技術】
【０００２】
従来より、仕切板によって容器本体の内部空間を仕切る分別収納容器が用いられている（例えば特許文献１参照）。この分別収納容器は、使用時には容器本体の内部に仕切板を着脱自在に取付けて内部を仕切ってごみ等を分別収納可能となっており、分別収納容器の運搬時や収納時には、仕切板を容器本体から取り外して複数の容器本体を入れ子状に積み重ねて纏めるとともに、仕切板同士を纏めるものであった。なお蓋体を着脱自在に容器本体に取り付けるものは仕切板と同様に蓋体同士で纏めるものであった。
【０００３】
この分別収納容器においては運搬時又は収納時に要する全体の収納スペースが大きくなってしまうため、容器本体を入れ子状に積み重ねた際に形成されるデッドスペースに仕切板を収納したりして全体の収納スペースを低減することが考えられた。
【０００４】
しかしながらこの場合には、容器本体の底面に仕切板を寝かせて収納した上に別の容器本体を入れ子状に積み重ねることとなるが、仕切板が下側の容器本体の底面上で位置決めされずに移動してしまい、容器本体と仕切板とが衝突して破損したりする惧れがあった。また、上側の容器本体を積み重ねた際に上側の容器本体の脚部が下側の容器本体の底面上に寝かせた仕切板に当たって嵩低く積み嵩めることができないものであった。
【特許文献１】特開２００１−１１４４０１号公報
【発明の開示】
【発明が解決しようとする課題】
【０００５】
本発明は上記の従来の問題点に鑑みて発明したものであって、その目的とするところは、仕切板を容器本体に寝かせて収納した際に位置決めされると共に、その上に別の容器本体を嵩低く積み重ねることができる分別収納容器の仕切板及び分別収納容器の梱包構造を提供することを課題とするものである。
【課題を解決するための手段】
【０００６】
上記課題を解決するために請求項１に係る発明にあっては、上方が末広がり状に開口する容器本体１の対向する一対の側壁部１１の内面の下端部に内方に突出する凸部Ｔを有する分別収納容器の仕切板３であって、上下又は左右の一対の対向する辺間の長さを容器本体１の凸部Ｔを有する対向する側壁部１１の下端部内面間の間隔よりも若干短く形成し、前記一対の対向する辺の端縁に容器本体１の凸部Ｔと当接又は近接する位置決め凸部３２を突設して成ることを特徴とするものである。このような構成とすることで、仕切板３を容器本体１の底面１０ａに載置して収納した際に容器本体１に対して位置決めされ、仕切板３を収納した容器本体１を運搬するような場合でも仕切板３ががたつくことがない。
【０００７】
また、請求項２の発明は、請求項１の発明において、容器本体１内の空間を仕切る仕切板３の下端部が挿入される凸部Ｔとしての縦リブ１６と当接又は近接する位置決め凸部３２を突設して成ることを特徴とするものである。このような構成とすることで、縦リブ１６を凸部Ｔとして兼用できて凸部Ｔを別に設ける必要がないものである。
【０００８】
また、請求項３の発明は、請求項１又は２の発明において、容器本体１の下面に下方に突出する脚部５を設けた分別収納容器の仕切板であって、容器本体１の凸部Ｔと位置決め凸部３２とを当接又は近接して仕切板３を容器本体１の底面１０ａに載置した状態の平面視における該容器本体１の脚部５に対応する部分に該脚部５が挿入される逃がし部３３を形成して成ることを特徴とするものである。このような構成とすることで、上側の容器本体１の脚部５が下側の容器本体１に収納された仕切板３の逃がし部３３内に挿入されて干渉が避けられ、容器本体１同士を嵩低く積み重ねることができる。
【０００９】
また、請求項４の発明は、上方が末広がり状に開口する容器本体１の対向する一対の側壁部１１の内面の下端部に内方に突出する凸部Ｔを有する容器本体１に仕切板３を着脱自在に取り付ける分別収納容器の梱包構造であって、仕切板３の上下又は左右の一対の対向する辺間の長さを容器本体１の凸部Ｔを有する対向する側壁部１１の下端部内面間の間隔よりも若干短く形成するとともに、前記一対の対向する辺の端縁に容器本体１の凸部と当接又は近接する位置決め凸部を突設し、仕切板３の位置決め凸部３２を容器本体１の凸部Ｔに当接又は近接するように仕切板３を容器本体１の底面１０ａ上に寝かせた状態で載置することを特徴とするものである。このような構成とすることで、仕切板３を容器本体１の底面１０ａに載置して収納した際に容器本体１に対して位置決めされ、仕切板３を収納した容器本体１を運搬するような場合でも仕切板３ががたつくことがない。
【００１０】
また、請求項５の発明は、請求項４の発明において、仕切板３に容器本体１の凸部Ｔと位置決め凸部３２とを当接又は近接するように仕切板３を容器本体１の底面１０ａに載置した状態の平面視における該容器本体１の脚部５に対応する部分に該脚部５が挿入される逃がし部３３を形成し、該容器本体１に別の容器本体１を上から入れ子状に積み重ねてその脚部５を逃がし部３３に挿入することを特徴とするものである。このような構成とすることで、上側の容器本体１の脚部５が下側の容器本体１に収納された仕切板３の逃がし部３３内に挿入されて干渉が避けられ、容器本体１同士を嵩低く積み重ねることができる。
【発明の効果】
【００１１】
本発明にあっては、仕切板を容器本体の底面に載置して収納した際に容器本体に対して位置決めされ、仕切板を収納した容器本体を運搬するような場合でも仕切板ががたつくことがない。
【発明を実施するための最良の形態】
【００１２】
以下、本発明を添付図面に示す実施形態に基づいて説明する。
【００１３】
本発明の分別収納容器は、上方が末広がり状に開口した容器本体１と、容器本体１の上開口を開閉自在に閉じるための蓋体２と、前記容器本体１の内部空間を仕切る着脱自在な仕切板３とで構成してある。
【００１４】
まず、図１乃至図１６に示す実施形態について説明する。本実施形態の分別収納容器は、仕切板３によって容器本体１内を三区画に仕切る三分類用の分別収納容器となっている。
【００１５】
容器本体１は、図１乃至図７等に示すように、底壁部１０及び側壁部１１（長辺側の側壁部１１ａ，短辺側の側壁部１１ｂ）からなる平面視矩形状、本実施形態では長方形状をしたもので、上開口の外周部に容器側フランジ部１２を設けてある。容器本体１の容器側フランジ部１２は断面逆Ｌ字状をしている。一方、上記容器本体１の上開口に着脱自在に被せられる蓋体２は下開口の外周部に蓋側フランジ部２１が設けてある。蓋側フランジ部２１は断面略Ｌをして容器側フランジ部１２に着脱自在に被嵌自在となっている。
【００１６】
容器本体１は、合成樹脂で上方に行くほど水平断面形状が大きくなるように側壁部が上広がりに傾斜して形成してあり、上方が末広がり状に開口している。図１及び図２に示すように、容器本体１の一対の対向する側壁部１１、本実施形態では長辺側の側壁部１１ａに内面から内方に突出した容器側凸条部１３を上下方向にわたって複数形成してあり、この容器側凸条部１３は外面側においては側壁部１１ａの外面が凹んだ容器側凹条部１３’となるものでる。また、蓋体２は合成樹脂製で下方に行くほど水平断面形状が大きくなるように側壁部が下広がりに傾斜して形成してある。
【００１７】
上記平面視矩形状（本実施形態では長方形状）をした容器側フランジ部１２の一辺、又は、平面視矩形状（本実施形態では長方形状）をした蓋側フランジ部２１の一辺のいずれか一方側に軸が設けてあると共にいずれか他方に軸受けが設けてあって軸を軸受けに回動自在に取付けることで容器本体１に対して蓋体２を回動自在に取付けてある。本実施形態では、図６等に示すように、容器本体１の容器側フランジ部１２の一辺部に凹欠部（図示せず）を設けてこの凹欠部の下部に横向きに軸１４を設けてあり、また、蓋体２の蓋側フランジ部２１の前記容器側フランジ部１２の凹欠部に対応する部分に凹欠部（図示せず）を設けてこの凹欠部に軸受け部１５を設けてある。
【００１８】
また、上記軸１４を設けた辺と対向する容器側フランジ部１２の他辺、又は、上記軸受け部２２を設けた蓋側フランジ部２１の他辺のいずれか一方側に、ロック用係止部を有するバックル４を回動自在に取付けると共にいずれか他方にロック用係止部が係止自在なロック用被係止部６を設けてある。本実施形態においては、容器本体１の容器側フランジ部１２の上記軸１４を設けた側壁部１１ａと対向する側壁部１１ａにバックル４が回動自在に複数取付けてあり、蓋体２の蓋側フランジ部２１の上記軸受け部２２を設けた側壁部と対向する側壁部の上端部にロック用被係止部２４が複数設けてある。
【００１９】
すなわち、図１に示すように、容器本体１の容器側フランジ部１２の他辺の容器側凸条部１３の上端部に対応する部位にバックル取付け用凹部１５を設け、このバックル取付け用凹部１５の両側壁に軸受け孔（図示せず）を設けてある。
【００２０】
バックル４は図４，図５等に示すようなもので合成樹脂により形成してあって、特に図示はしないが前面部の外周端縁から背方に外周片部が突設してあり、外周片部のうち左右に対向する両側片部の略中央部に背方に開口したコ字状切欠部が設けてある。そして、コ字状切欠部の下側の部位から外側方に向けて軸部が突設してあり、この軸部を上記バックル取付け用凹部１５の両側壁に設けた軸受け孔に嵌め込んでバックル４を容器本体１に回動自在に設けてある。
【００２１】
側片部のコ字状切欠部の上側の部位にはロック用係止部が設けてある。一方、蓋体２の蓋側フランジ部２１に蓋側切欠部２３が設けてあり（図３参照）、この蓋側切欠部２３内に奥側から断面Ｌ状をしたロック用被係止部２４が突設してある。
【００２２】
また、図７に示すように、容器本体１の底壁部１０の下面部１０ｂの四隅及び長手方向の中央部の両側に平面視略矩形状（本実施形態では略正方形状）をした脚部５が合計六個形成してある。この脚部５のうち、長手方向の一側端の二個の脚部５は、キャスター５２を取り付けたキャスター受け５１となっている。このキャスター受け５１は、下面が他の脚部５と同レベルか下となるようなレベルとなっていて接地が安定し、キャスター受け５１と反対側の脚部５側を浮かせるように容器本体１を傾けた場合はキャスター５２のみが接地して容易に移動できるようになっている。
【００２３】
そして、分別収納容器は上述したように仕切板３によって容器本体１内を三区画に仕切るもので、本実施形態の三分類用の容器本体１内を平面視における長手方向に略１／３ずつ仕切るものである。
【００２４】
蓋体２には、図１２等に示すように、上端面に平面視における長手方向の略１／３ずつの区画にそれぞれ平面視略矩形状をした上開口２５が形成してあり、この上開口２５にそれぞれ開閉蓋２６を開閉自在に設けてある。特に図示はしないが、上開口２５の一内端縁と開閉蓋２６の一辺のいずれか一方に軸部を設けると共に他方に軸受け部を設け、前記軸部を軸受け部に嵌入して開閉蓋２６を開閉自在に設けてある。
【００２５】
また容器本体１には、平面視における長手方向の両端部から該長手方向の長さの略１／３の部分に、仕切板３が嵌入される縦リブ１６が一対ずつと、仕切板３の後述する側凸部３１が嵌入される嵌入凹部１７が形成してある。縦リブ１６は、容器本体１の長辺側の側壁部１１ａの内面の下端部に内方に５ｍｍ〜３ｃｍ程度突出するように形成されるもので、その高さは側壁部１１ａの内面の下端から仕切板３の厚みの数倍程度（本実施形態では二倍程度）の高さとなるよう形成してあり、仕切板３の厚み分の間隔をあけて対をなすように形成してある。なおこの縦リブ１６は、上述した容器側凹条部１３よりも長手方向において中央部側に位置している。また、嵌入凹部１７は、容器本体１の長辺側の側壁部１１ａの上端部に形成してある。これにより、容器本体１の長手方向の両端部からそれぞれ該長手方向の長さの略１／３の部分に仕切板３を取り付けることができる（図８，図９参照）。
【００２６】
次に、仕切板３について説明する。仕切板３は、図１０，図１１に示すように正面視略矩形状をしたもので、その左右方向の長さは容器本体１の長辺側の両側壁部１１ａの間隔とほぼ同じ又は前記間隔より若干短く形成してあり、上下高さは、容器本体１の高さよりも高くて容器本体１に蓋体２を取り付けた状態の蓋体２の下面の下側に位置するようになっている。そしてこの仕切板３には側凸部３１が設けてある。
【００２７】
側凸部３１は、仕切板３の下端から容器本体１の高さ分上方に離れた部位の側端部に突設してある。仕切板３は、容器本体１の長辺側の両側壁部１１ａ間に該側壁部１１ａと直交する状態で上方から挿入して容器本体１に取り付けるのであるが、この時、仕切板３の下端部は上述したように容器本体１の対をなす縦リブ１６間にそれぞれ嵌入されるとともに、側凸部３１は容器本体１の長辺側の側壁部１１ａの上端部に形成した嵌入凹部１７に嵌入され、仕切板３の容器本体１に対する固定がなされる。なお、図中に示す３４は、後述する逃がし部３３を形成した部分以外に複数形成される透孔を示す。
【００２８】
このようにして二枚の仕切板３を容器本体１の上記所定の位置に固定して、容器本体１の内部空間を長手方向に三つに区画するものである。そして、仕切板３を取り付けた容器本体１の上開口に蓋体２を開閉自在に取り付けて、容器本体１の内部空間を略密閉状態とすることができる。蓋体２を取り付けた状態では、上述したように蓋体２には三つの区画にそれぞれ対応する部分に上開口２５及び開閉蓋２６が設けてあるため、各開閉蓋２６を開くことで分別収納容器の内部の三つの区画をそれぞれ独立して容器上方の外部と連通させることができる。
【００２９】
このような分別収納容器は、複数の分別収納容器を運搬したり収納したりする際、従来は上述したように容器本体１を入れ子状に積み重ねてその嵩を低くし、また、蓋体２と仕切板３は容器本体１とは別に纏めていたため、容器本体１，蓋体２，仕切板３が占有するスペース全体は多大なものとなっていた。そこで本発明においては、仕切板３を容器本体１に収納してその上に別の容器本体１を入れ子状に積み重ねて、前記占有スペースを小さくことができるもので、以下に詳述する。
【００３０】
仕切板３は、その上下又は左右の一対の対向する辺間の長さを容器本体１の一対の対向する側壁部１１間の間隔よりも若干短く形成して、仕切板３を容器本体１の底面１０ａに寝かせた状態で載置可能としてある。本実施形態では仕切板３の上下一対の対向する辺間の長さ（即ち高さ）を容器本体１の長辺側の側壁部１１ａに形成した縦リブ１６と、該側壁部１１ａと対向する側壁部１１ａの前記縦リブ１６と対向する縦リブ１６間の間隔とほぼ同じか前記間隔より若干短く形成してある。なお、前記縦リブ１６間の間隔は、容器本体１の一対の長辺側の側壁部１１ａに形成した互いに対向する容器側凸条部１３間の間隔とほぼ同じとなっている。これにより、仕切板３は上下端縁を容器本体１の長辺側の側壁部１１ａに形成した容器側凸条部１３と縦リブ１６の内端部に当接又は近接した状態で底面１０ａ上に寝かせて載置することができ、仕切板３の容器本体１の幅方向（短手方向）への移動は規制される。そして更に、仕切板３の容器本体１の長手方向への移動を規制すべく位置決め凸部３２が設けてある。
【００３１】
位置決め凸部３２は、仕切板３の一対の対向する辺の端縁の一方又は両方に、容器本体１の側壁部１１の内面の下端部に内方に向けて突出する凸部Ｔと当接又は近接するように突設されるものである。本実施形態では、凸部Ｔは容器本体１の一対の対向する長辺側の側壁部１１に設けた縦リブ１６が兼用しており、位置決め凸部３２は、仕切板３を上記のように容器本体１の底面１０ａ上に載置した時に容器本体１の凸部Ｔとしての縦リブ１６に当接又は近接するように上端縁に設けてある。更に詳述すると、容器本体１の長辺側の側壁部１１ａの長手方向の左右両側に対をなす縦リブ１６が一対ずつ設けてあり、この対をなす縦リブ１６のうち容器本体１の長手方向中央側の縦リブ１６の前記長手方向中央側の面と、仕切板３の上端縁に設けた位置決め凸部３２の外側の端面とがそれぞれ当接又は近接するものである。
【００３２】
これにより、仕切板３を容器本体１の底面１０ａに載置した際、仕切板３の上下端縁が容器本体１の長辺側の側壁部１１ａの内面と当接又は近接して仕切板３の容器本体１の幅方向への移動が規制されると共に、容器本体１の凸部Ｔとしての縦リブ１６と仕切板３の位置決め凸部３２とが当接又は近接して仕切板３の容器本体１の長手方向への移動が規制される。
【００３３】
以上のような構成によれば、仕切板３を容器本体１の底面１０ａに載置した際に容器本体１に対して位置決めされ、仕切板３を収納した容器本体１を運搬するような場合でも仕切板３ががたつくことがない。
【００３４】
更に本実施形態では、仕切板３に容器本体１の脚部５を逃がすための逃がし部３３が形成してある。
【００３５】
逃がし部３３は、仕切板３を上述したように容器本体１の凸部Ｔ（縦リブ１６）に位置決め凸部３２を当接又は近接するように容器本体１の底面１０ａに載置した際、容器本体１の長手方向の中央部に仕切板３が位置することとなるが、この時、平面視において容器本体１の下面部１０ｂの長手方向中央部の幅方向両側に位置する脚部５に対応する部分に該脚部５の外郭断面より大きな断面の逃がし部３３を仕切板３を貫通するように形成してある。
【００３６】
本実施形態では、上述したように仕切板３の上下端縁が容器本体１の長辺側の側壁部１１ａの内面と当接又は近接するように容器本体１の底面１０ａに載置して収納するので、この時に容器本体１の下面部１０ｂの長手方向中央部の幅方向両側の脚部５に対応する上下端縁にそれぞれ逃がし部３３が設けてある（図１６参照）。上端縁の逃がし部３３ａは仕切板３に開口を貫通することで設けてあり、下端縁の逃がし部３３ｂは仕切板３の下方に開口する切欠を形成することで設けてある。
【００３７】
この仕切板３を上述したように容器本体１に収納し（特に本実施形態では三分類用の容器本体１であるため二枚の仕切板３を容器本体１に収納し）、図１４，図１５に示すように更に同型の（即ち三分類用の）別の容器本体１を上方から入れ子状に積み重ねると、上側の容器本体１の脚部５が下側の容器本体１に収納された仕切板３の逃がし部３３内に挿入されて干渉が避けられ、容器本体１同士を嵩低く積み重ねることができる。図１６に、この時の下側の容器本体１に収納された仕切板３と上側の容器本体１の脚部５の平面視における位置関係を示す。なお、本実施形態の三分類用の容器本体１は、入れ子状に積み重ねた際に図１４，図１５に示すように上側の容器本体１の容器側フランジ部１２の縦リブ１２ａが下側の容器本体１の容器側フランジ部１２上に載置され、上側の容器本体１の脚部５が下側の容器本体１の底面１０ａの上方に浮いた状態となり、下側の容器本体１に収納した二枚の仕切板３のうち上側の仕切板３の逃がし部３３のみに前記脚部５が挿入されているが、二枚の仕切板３両方の逃がし部３３に前記脚部５が挿入されてもよいのは勿論であり、この場合には更に高効率で嵩低く積み重ねることが可能となる。
【００３８】
また、このように上側の容器本体１の容器側フランジ部１２の縦リブ１２ａが下側の容器本体１の容器側フランジ部１２上に載置されて上側の容器本体１の下面１０ｂが下側の容器本体１の底面１０ａの上方に浮いた状態で載置されるものにおいては、上側の容器本体１の下面１０ｂと下側の容器本体１の底面１０ａとの間に形成されるデッドスペースに仕切板３をがたつきなく収納できることとなって、全体の収納スペースが低減されている。
【００３９】
次に、他の実施形態について図１７乃至図２７に基づいて説明する。なお、上実施形態と同様の構成については説明を省略する。本実施形態は仕切板３は上実施形態における仕切板３と同じであり、この仕切板３を用いる容器本体１が異なるものである。
【００４０】
本実施形態の容器本体１は二分類用の容器本体１であり、上述した三分類用の容器本体１よりも長手方向が短く（長手方向比が略２／３）、幅は同じに形成してある。また、容器側凸条部１３及び容器側凹条部１３’は長辺側の側壁部１１ａの長手方向両側にそれぞれ設けてあり、また縦リブ１６は、長辺側の側壁部１１ａの長手方向中央部に設けてある。そして、本実施形態においては、仕切板３を容器本体１に収納する際に位置決め凸部３２と近接又は当接する凸部Ｔとして、長辺側の側壁部１１ａの長手方向両側にそれぞれ設けた容器側凸条部１３が兼用している。なお、容器側凸条部１３及び容器側凹条部１３’は、側壁部１１の強度及び美観向上等の効果を有するものである。
【００４１】
このように、同じ仕切板３を異なる容器本体１において共用することができて部品点数を削減することが可能となっており、また、仕切板３の下端が挿入される縦リブ１６又は、容器側凸条部１３を凸部Ｔとして兼用しているため、仕切板３の位置決め凸部３２と当接又は近接する凸部Ｔを別に設ける必要がないものである。
【００４２】
また、本発明のように、各容器本体１に所定枚数の仕切板３（即ち三分類用の容器本体１には二枚の仕切板３、二分類用の容器本体１には一枚の仕切板３）を収納することができて、店頭に展示する際にも所定枚数の仕切板３を収納した容器本体１を入れ子状に積み重ねて多くの分別収納容器を省スペースで展示することができるとともに、分別収納容器をバラ売りで販売する時に所望数の容器本体１を積み重ねた容器本体１から取ることで迅速に対応できて、且つ、各容器本体１に必要な仕切板３が予め収納されることとなるため従来容器本体１や仕切板３をそれぞれ纏めていた時のように必要な仕切板３の数を数え間違えたりすることもないものである。
【図面の簡単な説明】
【００４３】
【図１】本発明の一実施形態の平面図である。
【図２】同上の三分類用の分別収納容器の全体斜視図である。
【図３】同上の平面図である。
【図４】同上の正面図である。
【図５】同上の右側面図である。
【図６】同上の背面図である。
【図７】同上の下面図である。
【図８】図４のＡ−Ａ’断面図である。
【図９】図５のＢ−Ｂ’断面図である。
【図１０】同上の仕切板の斜視図である。
【図１１】同上の仕切板の正面図である。
【図１２】同上の分別収納容器の開閉蓋を開いた状態の斜視図である。
【図１３】同上の分別収納容器の蓋体を開いた状態の斜視図である。
【図１４】同上の仕切板を分別収納容器の底面に載置して別の分別収納容器を積み重ねた状態の側断面図である。
【図１５】同上の正面断面図である。
【図１６】仕切板と分別収納容器の下面の脚部との嵌合状態を示す下面図である。
【図１７】本発明の他の実施形態の平面図である。
【図１８】同上の二分類用の分別収納容器の全体斜視図である。
【図１９】同上の平面図である。
【図２０】同上の正面図である。
【図２１】同上の右側面図である。
【図２２】同上の背面図である。
【図２３】同上の下面図である。
【図２４】図２０のＣ−Ｃ’断面図である。
【図２５】図２１のＤ−Ｄ’断面図である。
【図２６】同上の分別収納容器の開閉蓋を開いた状態の斜視図である。
【図２７】同上の分別収納容器の蓋体を開いた状態の斜視図である。
【符号の説明】
【００４４】
１    容器本体
１１  側壁部
３    仕切板
３２  位置決め凸部
Ｔ    凸部
【図１】
2005088968.tif 000003
【図２】
2005088968.tif 000004
【図３】
2005088968.tif 000005
【図４】
2005088968.tif 000006
【図５】
2005088968.tif 000007
【図６】
2005088968.tif 000008
【図７】
2005088968.tif 000009
【図８】
2005088968.tif 000010
【図９】
2005088968.tif 000011
【図１０】
2005088968.tif 000012
【図１１】
2005088968.tif 000013
【図１２】
2005088968.tif 000014
【図１３】
2005088968.tif 000015
【図１４】
2005088968.tif 000016
【図１５】
2005088968.tif 000017
【図１６】
2005088968.tif 000018
【図１７】
2005088968.tif 000019
【図１８】
2005088968.tif 000020
【図１９】
2005088968.tif 000021
【図２０】
2005088968.tif 000022
【図２１】
2005088968.tif 000023
【図２２】
2005088968.tif 000024
【図２３】
2005088968.tif 000025
【図２４】
2005088968.tif 000026
【図２５】
2005088968.tif 000027
【図２６】
2005088968.tif 000028
【図２７】
2005088968.tif 000029